(57)【要約】【課題】簡単に携行することができるとともに、繊細な線の簡単に描け、文字の練習や小児等のお絵かきボードとして使用ことができるメモシートを提供する事ができることを目的とするものである。【解決手段】    ベースシートの表面に色彩面を形成し、この色彩面の上面に紫外線硬化樹脂層を形成するとともに、ベースシートの裏面に遠赤外線発生層と保形用シートとを設けてメモ本体を形成し、このメモ本体の紫外線硬化樹脂側上面部分に片面マット処理された合成樹脂シートをマット面が紫外線硬化樹脂面に接離可能に設けて形成した。【選択図】図１
2005305739.tif 000002
【特許請求の範囲】
【請求項１】
ベースシートの表面に色彩面を形成し、この色彩面の上面に紫外線硬化樹脂層を形成するとともに、ベースシートの裏面に遠赤外線発生層と保形用シートとを設けてメモ本体を形成し、このメモ本体の紫外線硬化樹脂側上面部分に片面マット処理された合成樹脂シートをマット面が紫外線硬化樹脂面に接離可能に設けたことを特徴とするメモシート。
【請求項２】
片面マット処理された合成樹脂シートがポリエチレンテレフタレートフィルムで形成されていることを特徴とする請求項１に記載のメモシート。
【請求項３】
遠赤外線発生層が竹炭等の遠赤外線発生物を含んでなる請求項１に記載のメモシート。
【発明の詳細な説明】
【技術分野】
【０００１】
本発明は文字の練習や小児等のお絵かきボードとして使用したり、電話番号等を一時的にメモするために使用することができるメモシートに関するものである。
【背景技術】
【０００２】
文字の練習では同じ文字を繰り返し書いて練習することが肝要であり、電話番号等を一時的にメモする場合は、その電話番号等を他に転記した後、次のメモのために消しておくという繰り返しが行なわれる。
こうしたこの繰り返し使用することができるものとして、例えばｐＨ指示薬等の呈色剤に、呈色剤の色を経時的に失効させる呈色助剤を作用させることにより、用途に応じて消色時間を自由に調整でき、にじみも殆どなく細い文字も自由に書けるようにした湿式練習板（特許文献１）や着色したシートの上面に軟質合成樹脂を塗着し、その上面にクリアシートを配設し、クリアシートの上面から爪や爪楊枝などの先の細いもので押圧すると、シートが軟質合成樹脂に当接し、その当接した部分から下の着色されたシートの色が浮かび上がるようにし、消す時はクリアシートを軟質合成樹脂から剥がすようにした乾式の練習具（特許文献２）が知られている。
【特許文献１】特開昭６０−１４２３８５号公報
【特許文献２】実開平５−３８６６６号公報
【発明の開示】
【発明が解決しようとする課題】
【０００３】
ところが、湿式のものではポケットに入れて携行するには適さず、汎用性に劣るという問題があり、後者の乾式のものでは軟質合成樹脂の当接部分が太くなることからに繊細な文字や柄などを書くのが難しいという問題があった。
本発明は上記問題点に鑑みて提案されたもので、簡単に携行できるとともに、繊細な線の簡単に描くことができるメモシートを提供する事ができることを目的とするものである。
【課題を解決するための手段】
【０００４】
本発明は、上記問題点に鑑み提案されたもので、ベースシートの表面に色彩面を形成し、この色彩面の上面に紫外線硬化樹脂層を形成するとともに、ベースシートの裏面に遠赤外線発生層と保形用シートとを設けてメモ本体を形成し、このメモ本体の紫外線硬化樹脂側上面部分に片面マット処理された合成樹脂シートをマット面が紫外線硬化樹脂面に接離可能に設けたことを最も主要な特徴とするものである。
【０００５】
また、本発明に係るメモシートでは、片面マット処理された合成樹脂シートがポリエチレンテレフタレートフィルムで形成されていることや、遠赤外線発生層が竹炭等の遠赤外線発生物を含んでなることも特徴の１つである。
【発明の効果】
【０００６】
本発明のメモシートでは、ベースシートの表面に色彩面を形成し、この色彩面の上面に紫外線硬化樹脂層を形成するとともに、ベースシートの裏面に遠赤外線発生層と保形用シートとを設けてメモ本体を形成し、このメモ本体の紫外線硬化樹脂側上面部分に片面マット処理された合成樹脂シートをマット面が紫外線硬化樹脂面に接離可能に設けるようにしてあるので、従来の湿式のように液漏れ等の虞もなくポケットやバッグに入れて簡単に携行することができる利点がある。
【０００７】
また、合成樹脂シートが紫外線で硬化した紫外線硬化樹脂面に当接し、その当接した部分のマット面が透明になって色彩部分が浮かび上がるので、従来の軟質合成樹脂を用いた乾式の練習具のように線が太くなることがなく繊細な線を描くことができる利点もある。
さらに、片面マット処理された合成樹脂シートをポリエチレンテレフタレートフィルムで形成擦るようにしたものでは、抹殺に強く、耐久性を向上させることができる利点も有る。
加えて、遠赤外線発生層が竹炭等の遠赤外線発生物を含ませたものでは、メモシートを手に持った時に手のぬくもりで赤外線が増幅され、合成樹脂シートの紫外線硬化樹脂面への当接を良好にし、細い線をより鮮明に表示することができる利点もある。
【発明を実施するための最良の形態】
【０００８】
以下、本発明に係るメモシートの最良の形態を図面に基づいて説明する。
図１はメモシートの斜視図、図２はその側面図であって、図中符号１はメモシートを全体的に示す。
このメモシート１はメモ本体２とその上面部分に配設された書き込み面部分３とからなる。
メモ本体２は、カード紙からなるベースシート４の表面にシルクスクリーン印刷により濃紺の色彩面５を形成するとともに、この濃紺の色彩面５の上面全域にわたって透明な紫外線硬化樹脂６を塗布し、この紫外線硬化樹脂６を紫外線で硬化させて紫外線硬化樹脂層７を形成する（図３参照）。
【０００９】
ベースシート４の裏面には、遠赤外線発生層８と保形用シート９とを設けてある。
遠赤外線発生層８は、紫外線硬化糊（UVのり）で竹炭やアルミナ、珪藻土等の赤外線発生材料を薄い層状に塗着して構成されており、上記保形シート９は、比較的厚めのカード紙で形成されている。
【００１０】
また、メモ本体２の上面部分に配設された書き込み面部分３は、片面がマット面１０に形成された半透明状のポリエチレンテレフタレートフィルム（合成樹脂シート）１１を可撓性合成樹脂製の枠部材１２に貼着し、マット面１０が上記紫外線硬化樹脂層７に対面する状態で枠部材１２の一辺をメモ本体２に固定することにより、自由端となっている対辺部分からめくりあげられるようにしてある
【００１１】
上記のように形成されたメモシート１を使用する場合を次に説明する。
先ず、本発明のメモシート１をバッグやポケットに入れて携行し、例えば電話番号や氏名等、簡単なメモをとる必要が生じた時は、これを取り出し、一方の手のひらに載せ、他方の指先の爪部分や爪楊枝１３等で書き込み面部分３のポリエチレンテレフタレートフィルム９部分に必要事項１４を記載する（図４参照）。
【００１２】
このメモシート１を一方の手のひらに載せた時、手から放散される熱線が、遠赤外線発生層６で増幅されて紫外線硬化樹脂６に伝えられるので、紫外線硬化樹脂６の表面はポリエチレンテレフタレートフィルム１１を付着し易い状態にする。
したがって、爪楊枝１３で押圧されて部分はそのマット面部分１０が紫外線硬化樹脂６の表面に当接し、この当接した部分のマット面が透明になり、色彩面５の濃紺が明瞭に現れて記録される。
【００１３】
こうしてメモシート１に記録された事項を消す場合は、自由端となっている対辺部分から捲りあげて爪楊枝１３で押圧されたことによりマット面部分１０を紫外線硬化樹脂６の表面から離間させる。
するとこれまで紫外線硬化樹脂６の表面に当接して透明になっていた部分が半透明のマット面１０になり、記録されて事項は消える。
【００１４】
尚、上記実施の形態では書き込み面部分３を、片面がマット面１０に形成されて半透明状のポリエチレンテレフタレートフィルム１１を使用するようにしてあるがこうしたものに限られず、他のシート素材を使用することができるのはいうまでもないことである。
また、色彩面５の色は他の色にすることができるのは勿論であるが、その場合濃色にすることが望ましい。
【産業上の利用可能性】
【００１５】
文字の練習や小児等のお絵かき用ボードとして大形のボードにして使用することもできる。
【図面の簡単な説明】
【００１６】
【図１】メモシートの斜視図である。
【図２】メモシートの側面図である。
【図３】メモシートのメモ本体部分の側面図である。
【図４】メモシートの使用状態の正面図である。
【符号の説明】
【００１７】
１・・・メモシート
２・・・メモ本体
４・・・ベースシート
５・・・色彩面
７・・・紫外線硬化樹脂層
８・・・遠赤外線発生層
９・・・保形用シート
１１・・・合成樹脂シート
【図１】
2005305739.tif 000003
【図２】
2005305739.tif 000004
【図３】
2005305739.tif 000005
【図４】
2005305739.tif 000006